【手続補正書】
【提出日】平成18年10月25日(2006.10.25)
【手続補正１】
【補正対象書類名】特許請求の範囲
【補正対象項目名】全文
【補正方法】変更
【補正の内容】
【特許請求の範囲】
【請求項１】
基地局ともう一つの送受信ユニットの間の通信の開始時に送信電力を制御する基地局であって、
所定の初期電力レベルを有する信号であって、漸増する電力レベルで前記基地局に繰返し送信される信号を検出する手段と、
検出に十分な電力を有する信号の受信時に電力制御信号を送信する手段と、
前記電力制御信号で制御される電力レベルを有するアクセス信号を受信する手段と
を含む基地局。
【請求項２】
前記所定の初期電力レベルが前記基地局による検出に必要な電力レベルよりも低い請求項１記載の基地局。
【請求項３】
基地局ともう一つの送受信ユニットの間の通信の開始時に送信電力を制御する基地局であって、
所定の初期電力レベルを有する信号であって、漸増する電力レベルで前記基地局に繰り返し送信される信号を検出する手段と、
検出に十分な電力を有する信号の受信時に電力制御信号を送信する手段と、
前記電力制御信号で制御される電力レベルを有するアクセス信号を受信する手段と
を含み、前記周期性信号が短符号を含み、前記アクセス信号が前記短符号よりも長いアクセス符号を含む基地局。
【請求項４】
前記アクセス符号の正しい位相を、そのアクセス符号の短符号長部分の一つの位相のみの初期サーチにより検出する請求項３記載の基地局。
【請求項５】
前記アクセス符号の前記正しい位相の検出時に受信確認信号を送信する手段をさらに含む請求項４記載の基地局。
【請求項６】
所定の時間間隔ののち正しい位相が未検出であった場合に位相の各々のサーチによる後続サーチを行う手段をさらに含む請求項４記載の基地局。
【請求項７】
前記時間間隔を前記初期サーチの始まりを始点として測定する請求項６記載の基地局。
【請求項８】
前記制御信号を、前記短符号の前記正しい位相の検出時に前記制御信号発生手段により発生する請求項３記載の基地局。
【請求項９】
無線ＣＤＭＡ通信システムにおいて送信電力制御を行う方法であって、
加入者ユニットから、前記基地局により第１の符号が受信されたことを示す受信確認信号をその加入者ユニットが受信するまで、連続的に上昇する送信電力レベルで前記第１の符号を送信する過程と、
前記加入者ユニットから、その加入者ユニットによる前記受信確認信号の受信のあと第２の符号を送信する過程と
を含む方法。
【請求項１０】
前記第１の符号が検出符号である請求項９記載の方法。
【請求項１１】
前記第２の符号がアクセス符号である請求項９記載の方法。
【請求項１２】
前記第２の符号を、前記第１の符号の最後の送信の電力レベルに基づく電力レベルで送信する請求項９記載の方法。
【請求項１３】
前記第１の符号が前記第２の符号よりも短い請求項９記載の方法。
【請求項１４】
前記第２の符号を前記第１の符号の最後の送信の電力レベルよりも高い電力レベルで送信する請求項９記載の方法。
【請求項１５】
前記第１の符号の互いに相続く任意の二つの送信の間の送信電力レベルの差が一定のデシベル値である請求項９記載の方法。
【請求項１６】
少なくとも一つの基地局を含む無線ＣＤＭＡ通信システムのための加入者ユニットであって、
前記基地局により第１の符号が受信されたことを示す受信確認信号を受信するまで連続的に上昇する送信電力レベルで前記第１の符号を送信するように構成した送信機を含み、
前記送信機が前記受信確認信号の受信のあとアクセス符号を送信するように構成してある
加入者ユニット。
【請求項１７】
前記第１の符号が検出符号である請求項１６記載の加入者ユニット。
【請求項１８】
前記送信機が前記連続的に上昇する送信電力レベルでの送信の前に前記第１の符号を更新するように構成してある請求項１６記載の加入者ユニット。
【請求項１９】
前記送信機が、前記アクセス符号を、前記第１の符号の最後の送信の電力レベルに基づく電力レベルで送信するように構成してある請求項１６記載の加入者ユニット。
【請求項２０】
前記第１の符号が前記アクセス符号よりも短い請求項１６記載の加入者ユニット。
【請求項２１】
前記送信機が、前記アクセス符号を、前記第１の符号の最後の送信の電力レベルよりも高い電力レベルで送信するよう構成してある請求項１６記載の加入者ユニット。
【請求項２２】
前記第１の符号の互いに相続く任意の二つの送信の間の送信電力レベルの差が一定のデシベル値である請求項１６記載の加入者ユニット。
【請求項２３】
少なくとも一つの基地局を含む無線ＣＤＭＡ通信システムであってその通信システムへのアクセスを求める少なくとも一つの加入者ユニットをさらに含む無線ＣＤＭＡ通信システムにおいて送信電力制御を行う方法において、
前記加入者ユニットから、前記基地局により第１の符号が受信されたことを示す受信確認信号をその加入者ユニットが受信するまで連続的に上昇する送信電力レベルで前記第１の符号を繰り返し送信する過程と、
前記加入者ユニットから、その加入者ユニットによる前記受信確認信号の受信のあとアクセス符号を送信する過程と
を含む方法。
【請求項２４】
前記第１の符号が前記アクセス符号よりも短い請求項２３記載の方法。
【請求項２５】
前記アクセス符号の送信電力レベルを前記第１の符号の送信電力レベルよりも高くした請求項２３記載の方法。
【請求項２６】
前記繰返し送信の各々における送信電力レベル上昇値が一定のデシベル値である請求項２３記載の方法。
【請求項２７】
前記アクセス符号の送信電力レベルを、前記第１の符号の最後の送信電力レベルに基づいて定めた請求項２３記載の方法。
【請求項２８】
無線ＣＤＭＡ通信システムにおいて送信電力制御を行う方法であって、
前記無線ＣＤＭＡ通信システムへのアクセスを求める加入者ユニットを基地局が検出したことをその受信が示す検出符号である第１の符号を予め設定ずみの初期送信電力レベルで加入者ユニットから送信するとともに前記第１の符号の送信を第１の漸増量を加えた送信電力レベルで繰り返す過程と、
送信された前記第１の符号の受信を示す受信確認信号を前記加入者ユニットにおいて検出する過程と、
前記受信確認信号の検出に応答して、アクセス符号であり前記第１の符号に関連づけられた第２の符号を前記第１の符号の送信電力レベルから第２の量だけの電力レベルオフセットを有する電力レベルで前記加入者ユニットから送信する過程と
を含む方法。
【請求項２９】
前記電力レベルオフセットが正の値を有する請求項２８記載の方法。
【請求項３０】
前記電力レベルオフセットが負の値を有する請求項２８記載の方法。
【請求項３１】
前記電力レベルオフセットの値が零である請求項２８記載の方法。
【請求項３２】
前記第１の符号が前記第１の符号よりも短い短符号である請求項２８記載の方法。
【請求項３３】
符号分割多元接続（ＣＤＭＡ）通信ユニットであって、
短符号を上昇する送信電力レベルで繰返し送信するように構成されているとともに、前記短符号よりも長い長符号を、前記短符号を繰り返し送信したのち送信するように構成されている送信機
を含む通信ユニット。
【請求項３４】
前記長符号の送信電力レベルが前記短符号の前記繰返し送信の最後の送信の電力レベルに基づく請求項３３記載の通信ユニット。
【請求項３５】
前記送信機が、前記短符号の前記繰返し送信の最後の送信に関連した送信電力レベルを維持するように構成されている請求項３３記載の通信ユニット。
【請求項３６】
前記長符号の送信電力の送信電力レベルが前記短符号の前記繰返し送信の最後の送信の電力レベルと同じレベルである請求項３３記載の通信ユニット。
【請求項３７】
前記長符号の送信電力の送信電力レベルが前記短符号の前記繰返し送信の送信電力レベルよりも上昇したレベルである請求項３３記載の通信ユニット。
【請求項３８】
符号発生器を同じ基本符号を生ずるように構成し、前記短符号および前記長符号を前記同じ基本符号から生ずる請求項３３記載の通信ユニット。
【請求項３９】
ダウンリンク信号を受信するように構成された受信機を含み、前記短符号の周期的送信が受信した前記ダウンリンク信号のタイミングに同期している請求項３３記載の通信ユニット。
【請求項４０】
前記ダウンリンク信号がパイロット信号である請求項３９記載の通信ユニット。
【請求項４１】
前記短符号の前記繰返し送信がデータを搬送しない請求項３３記載の通信ユニット。
【請求項４２】
前記短符号の前記繰返し送信がアクセスメッセージデータを搬送しない請求項３３記載の通信ユニット。
【請求項４３】
前記長符号の前記送信がデータを搬送する請求項４１記載の通信ユニット。
【請求項４４】
前記長符号の前記送信がアクセスメッセージデータを搬送する請求項４２記載の通信ユニット。
【請求項４５】
前記短符号の前記送信が送信された前記長符号の捕捉において基地局を援助する請求項３３記載の通信ユニット。
【請求項４６】
前記短符号の前記送信が前記送信された前記長符号の捕捉に前記基地局が必要とする時間を短縮する請求項３３記載の通信ユニット。
【請求項４７】
前記短符号の前記繰返し送信を多数回にわたり行う請求項３３記載の通信ユニット。
【請求項４８】
前記短符号の前記繰返し送信を固定回数にわたり行う請求項３３記載の通信ユニット。
【請求項４９】
前記短符号の前記繰返し送信を固定回数のあと停止する請求項３３記載の通信ユニット。
【請求項５０】
前記送信機が、前記短符号の前記送信の停止のあと、前記短符号を更新するように構成されている請求項４８記載の通信ユニット。
【請求項５１】
前記送信機が、前記短符号の更新のあと、その更新した短符号を送信するように構成されている請求項５０記載の通信ユニット。
【請求項５２】
前記長符号の前記送信が前記短符号の前記繰返し送信の最後の送信と同期している請求項３３記載の通信ユニット。
【請求項５３】
受信確認信号を受信するように構成されている受信機を含む請求項３３記載の通信ユニット。
【請求項５４】
前記受信確認信号が基地局により前記短符号が検出されたことを示す請求項５３記載の通信ユニット。
【請求項５５】
前記送信機が前記受信確認信号の受信のあと前記短符号の前記繰返し送信を停止するように構成されている請求項５３記載の通信ユニット。
【請求項５６】
前記長符号の前記送信が前記受信確認信号の受信のあと行われる請求項５３記載の通信ユニット。
【請求項５７】
前記送信機が前記受信確認信号の受信時に送信電力レベルを維持するように構成されている請求項５３記載の通信ユニット。
【請求項５８】
前記送信機が前記受信確認信号の受信時にそれ以降の送信電力レベルを設定するように構成されている請求項５３記載の通信ユニット。
【請求項５９】
前記それ以降の送信電力レベルが前記短符号の前記繰返し送信の最後の送信の送信電力レベルに基づいている請求項５８記載の通信ユニット。
【請求項６０】
前記それ以降の送信電力レベルが前記長符号の前記送信電力レベルである請求項５８記載の通信ユニット。
【請求項６１】
前記それ以降の送信電力レベルが前記短符号の前記繰返し送信の最後の送信の送信電力レベルである請求項５８記載の通信ユニット。
【請求項６２】
前記それ以降の送信電力レベルが前記短符号の前記繰返し送信の最後の送信の送信電力レベルよりも上昇している請求項５８記載の通信ユニット。
【請求項６３】
前記送信機が、前記受信確認信号の受信不在時に前記短符号として新たな符号を選択するように構成されている請求項５３記載の通信ユニット。
【請求項６４】
前記送信機が、前記繰返し送信の前に前記短符号を更新するように構成されている請求項３３記載の通信ユニット。
【請求項６５】
前記通信ユニットが加入者ユニットである請求項３３記載の通信ユニット。
【請求項６６】
前記短符号の最後の送信の送信電力レベルが検出に必要な電力レベルよりも高いレベルである請求項３３記載の通信ユニット。
【請求項６７】
前記繰返し送信が周期的に繰り返す送信である請求項３３記載の通信ユニット。
【請求項６８】
符号分割多元接続（ＣＤＭＡ）通信ユニットであって、
符号を発生するように構成された符号発生器と、
アクセスデータメッセージと前記符号の利用により生成したアクセス信号とを含むアクセス信号を送信するように構成された送信機であって、前記アクセス信号の前の少なくとも一つの信号、すなわち前記符号発生器からの符号から生成した前記少なくとも一つの前の信号を送信するように構成された送信機と
を含み、
前記アクセス信号の送信電力レベルが前記少なくとも一つの前の信号の送信電力レベルに基づいており、前記少なくとも一つの前の信号の持続時間が前記アクセス信号の持続時間よりも短い通信ユニット。
【請求項６９】
前記送信機が、前記少なくとも一つの前の信号を送信することなく前記アクセス信号を送信できるように構成されている請求項６８記載の通信ユニット。
【請求項７０】
前記少なくとも一つの前の信号が、前記符号発生器からの符号から各々が生成された複数の前の信号である請求項６８記載の通信ユニット。
【請求項７１】
前記送信機が、基地局からの受信確認信号の受信がなく前記少なくとも一つの前の信号の前記基地局による受信を示す場合は前記少なくとも一つの前の信号を更新し再送信するように構成されている請求項６８記載の通信ユニット。
【請求項７２】
前記複数の前の信号の前記送信が周期性送信である請求項７０記載の通信ユニット。
【請求項７３】
前記前の信号の各々の前記送信を上昇した電力レベルで行う請求項７０記載の通信ユニット。
【請求項７４】
前記アクセス信号の送信電力レベルが前記少なくとも一つの前の信号の最後の送信の送信電力レベルに基づいている請求項６８記載の通信ユニット。
【請求項７５】
前記送信機が、前記少なくとも一つの前の信号の最後の送信と関連した送信電力レベルを維持するように構成されている請求項６８記載の通信ユニット。
【請求項７６】
前記アクセス信号の送信電力レベルが前記少なくとも一つの前の信号の最後の送信の送信電力レベルと同じである請求項６８記載の通信ユニット。
【請求項７７】
前記アクセス信号の送信電力レベルが前記少なくとも一つの前の信号の最後の送信の送信電力レベルよりも上昇した電力レベルである請求項６８記載の通信ユニット。
【請求項７８】
ダウンリンク信号を受信するように構成された受信機を含み、前記アクセス信号の前記送信が受信した前記ダウンリンク信号のタイミングと同期している請求項６８記載の通信ユニット。
【請求項７９】
前記ダウンリンク信号がパイロット信号である請求項７８記載の通信ユニット。
【請求項８０】
前記少なくとも一つの前信号がデータを搬送しない請求項６８記載の通信ユニット。
【請求項８１】
前記少なくとも一つの前信号がメッセージデータを何ら搬送しない請求項６８記載の通信ユニット。
【請求項８２】
前記少なくとも一つの前の信号の前記送信が送信された前記アクセス信号の捕捉において基地局を援助する請求項６８記載の通信ユニット。
【請求項８３】
前記前信号の前記送信が前記送信された前記長符号の捕捉に前記基地局が必要とする時間を短縮する請求項６８記載の通信ユニット。
【請求項８４】
前記少なくとも一つの前の信号の前記送信が前記アクセス信号の位相の判定において基地局を援助する請求項６８記載の通信ユニット。
【請求項８５】
前記少なくとも一つの前の信号の送信電力レベルが前記アクセス信号の送信電力レベルとは異なる請求項６８記載の通信ユニット。
【請求項８６】
長符号の前記送信が前記少なくとも一つの前の信号の前記繰返し送信の最後の送信と同期している請求項６８記載の通信ユニット。
【請求項８７】
受信確認信号を受信するように構成された受信機を含む請求項６８記載の通信ユニット。
【請求項８８】
前記受信確認信号が基地局による前記少なくとも一つの前の信号の受信を表す請求項８７記載の通信ユニット。
【請求項８９】
前記送信機が、前記受信確認信号の受信後は前記前の信号の送信が行われないように構成されている請求項８７記載の通信ユニット。
【請求項９０】
前記確認信号の受信後は前記アクセス信号の送信が行われる請求項８７記載の通信ユニット。
【請求項９１】
前記確認信号の受信後は送信電力レベルを維持する請求項８７記載の通信ユニット。
【請求項９２】
前記送信機が、前記受信確認信号の受信時に前記アクセス信号の送信電力レベルを設定するように構成されている請求項８７記載の通信ユニット。
【請求項９３】
前記アクセス信号の前記送信電力レベルが前記少なくとも一つの前の信号の最後の送信の送信電力レベルである請求項９２記載の通信ユニット。
【請求項９４】
前記アクセス信号の前記送信電力レベルが前記少なくとも一つの前の信号の最後の送信の送信電力レベルよりも上昇している請求項９２記載の通信ユニット。
【請求項９５】
前記送信機が、前記受信確認信号の受信がなかった場合に前記少なくとも一つの前の信号を変化させるように構成されている請求項８７記載の通信ユニット。
【請求項９６】
前記アクセス信号を、通信リンクの始動のために送信する請求項６８記載の通信ユニット。
【請求項９７】
前記少なくとも一つの前の信号の最後の送信の送信電力レベルが検出に必要な電力レベル以上である請求項６８記載の通信ユニット。
【請求項９８】
符号分割多元接続通信ユニットであって、
メッセージデータの搬送を伴わない第１の符号の繰返し送信を毎回上昇した電力レベルで行うように構成されるとともに、前記第１の符号の前記繰返し送信のあと第２の符号を送信するように構成された送信機
を含む通信ユニット。
【請求項９９】
前記第１の符号が前記第２の符号よりも短い請求項９８記載の通信ユニット。
【請求項１００】
前記送信機が、前記第２の符号の送信電力レベルを前記第１の符号の繰返し送信の前回送信の電力レベルに基づいて定めるように構成されている請求項９９記載の通信ユニット。
【請求項１０１】
前記送信機が、前記第１の符号の繰返し送信の前回送信に関連する送信電力レベルを維持するように構成されている請求項９９記載の通信ユニット。
【請求項１０２】
前記送信機が、前記第２の符号の送信電力レベルを前記第１の符号の繰返し送信の前回送信の電力レベルと同じレベルにするように構成されている請求項９９記載の通信ユニット。
【請求項１０３】
前記送信機が、前記第２の符号の送信電力レベルを前記第１の符号の繰返し送信の前回送信の電力レベルよりも上昇したレベルにするように構成されている請求項９９記載の通信ユニット。
【請求項１０４】
符号発生器が同じ基準符号を生ずるように構成され、前記第１および第２の符号が前記同じ基準の符号から生成される請求項９８記載の通信ユニット。
【請求項１０５】
ダウンリンク信号を受信するように構成された受信機を含み、前記第１の符号の前記繰返し送信が受信した前記ダウンリンク信号のタイミングと同期している請求項９８記載の通信ユニット。
【請求項１０６】
前記ダウンリンク信号がパイロット信号である請求項１０５記載の通信ユニット。
【請求項１０７】
前記第１の符号の前記繰返し送信がメッセージデータを搬送しない請求項９８記載の通信ユニット。
【請求項１０８】
前記第２の符号の前記送信がデータを搬送する請求項９８記載の通信ユニット。
【請求項１０９】
前記第２の符号の前記送信がアクセスメッセージデータを搬送する請求項１０７記載の通信ユニット。
【請求項１１０】
前記第１の符号の前記送信が送信された前記第２の符号の捕捉において基地局を援助する請求項９８記載の通信ユニット。
【請求項１１１】
前記第１の符号の前記送信が前記送信された前記第２の符号の捕捉に前記基地局が必要とする時間を短縮する請求項９８記載の通信ユニット。
【請求項１１２】
前記第１の符号の前記繰返し送信を多数回にわたり行う請求項９８記載の通信ユニット。
【請求項１１３】
前記第１の符号の前記繰返し送信を固定回数にわたり行う請求項９８記載の通信ユニット。
【請求項１１４】
前記第１の符号の前記繰返し送信を固定回数のあと停止する請求項１１３記載の通信ユニット。
【請求項１１５】
前記送信機が、前記第１の符号の前記送信の停止のあと、前記第１の符号を更新するように構成されている請求項１１３記載の通信ユニット。
【請求項１１６】
前記送信機が、前記第１の符号の更新のあと、その更新した第１の符号を繰返し送信するように構成されている請求項１１５記載の通信ユニット。
【請求項１１７】
前記第２の符号の前記送信が前記第１の符号の前記繰返し送信の前回送信と同期している請求項１１６記載の通信ユニット。
【請求項１１８】
受信確認信号を受信するように構成されている受信機を含む請求項１１６記載の通信ユニット。
【請求項１１９】
前記受信確認信号が基地局により前記短符号が検出されたことを示す請求項１１８記載の通信ユニット。
【請求項１２０】
前記送信機が前記受信確認信号の受信のあと前記第１の符号の前記繰返し送信を停止するように構成されている請求項１１８記載の通信ユニット。
【請求項１２１】
前記第２の符号の前記送信が前記受信確認信号の受信のあと行われる請求項１１８記載の通信ユニット。
【請求項１２２】
前記送信機が前記受信確認信号の受信時に送信電力レベルを維持するように構成されている請求項１１８記載の通信ユニット。
【請求項１２３】
前記送信機が前記受信確認信号の受信時にそれ以降の送信電力レベルを設定するように構成されている請求項１１８記載の通信ユニット。
【請求項１２４】
前記それ以降の送信電力レベルが前記第１の符号の前記繰返し送信の前回送信の送信電力レベルに基づいている請求項１２２記載の通信ユニット。
【請求項１２５】
前記それ以降の送信電力レベルが前記第２の符号の前記送信電力レベルである請求項１２２記載の通信ユニット。
【請求項１２６】
前記それ以降の送信電力レベルが前記第１の符号の前記繰返し送信の前回送信の送信電力レベルである請求項１２２記載の通信ユニット。
【請求項１２７】
前記それ以降の送信電力レベルが前記第１の符号の前記繰返し送信の前回送信の送信電力レベルよりも上昇している請求項１２２記載の通信ユニット。
【請求項１２８】
前記送信機が、前記受信確認信号の受信不在時に前記第１の符号に新たな符号を選択するように構成されている請求項１１８記載の通信ユニット。
【請求項１２９】
前記送信機が、前記第１の符号を更新するように構成されている請求項９８記載の通信ユニット。
【請求項１３０】
前記通信ユニットが加入者ユニットである請求項９８記載の通信ユニット。
【請求項１３１】
前記第１の符号の前回送信の送信電力レベルが検出に必要な電力レベルよりも高いレベルになるように前記送信機が構成されている請求項９８記載の通信ユニット。
【請求項１３２】
前記繰返し送信が周期的に繰り返す送信である請求項９８記載の通信ユニット。
【請求項１３３】
符号分割多元接続（ＣＤＭＡ）通信ユニットであって、
アクセスメッセージデータを搬送しない第１の信号を漸増送信電力レベルで繰返し送信するように構成された送信機と、
前記第１の信号の前記繰返し送信の前回送信が受信されたことを示す受信確認信号を受信するように構成された受信機と
を含み、
前記送信機が前記受信確認信号の受信に応答して前記第１の信号の前記繰返し送信を停止する
通信ユニット。
【請求項１３４】
前記第１の信号がデータを何ら搬送しない請求項１３３記載の通信ユニット。
【請求項１３５】
前記送信機が、前記受信確認信号の受信に応答して第２の信号を送信するように構成されている請求項１３３記載の通信ユニット。
【請求項１３６】
前記第２の信号がデータを搬送する請求項１３５記載の通信ユニット。
【請求項１３７】
前記第２の信号がアクセスデータを搬送する請求項１３５記載の通信ユニット。
【請求項１３８】
前記第２の信号の送信電力レベルが前記第１の信号の前記繰返し送信の最後の送信の電力レベルに基づいて定まる請求項１３５記載の通信ユニット。
【請求項１３９】
前記第１の信号が前記第２の信号よりも短い請求項１３５記載の通信ユニット。
【請求項１４０】
前記送信機が、前記第１の信号を前記第２の信号の生成に用いる符号よりも短い符号を用いて生成するように構成されている請求項１３５記載の通信ユニット。
【請求項１４１】
前記送信機が、前記第１の信号の前記繰返し送信の最後の送信と関連した送信電力レベルを維持するように構成されている請求項１３５記載の通信ユニット。
【請求項１４２】
前記送信機が前記第２の信号の送信電力レベルを前記第１の信号の前記繰返し送信の最後の送信の送信電力レベルと同じにするように構成してある請求項１３５記載の通信ユニット。
【請求項１４３】
前記送信機が、前記第２の信号の送信電力レベルを前記第１の信号の前記繰返し送信の最後の送信の送信電力レベルよりも上昇させるように構成されている請求項１３５記載の通信ユニット。
【請求項１４４】
符号発生器が同じ基準符号を生ずるように構成され、前記第１および第２の信号が前記同じ基準符号から生成される請求項１３５記載の通信ユニット。
【請求項１４５】
前記第１の信号の前記送信が送信された前記第２の信号の捕捉において基地局を援助する請求項１３５記載の通信ユニット。
【請求項１４６】
前記第１の信号の前記送信が前記送信された前記第２の信号の捕捉に前記基地局が必要とする時間を短縮する請求項１３５記載の通信ユニット。
【請求項１４７】
前記第１の信号の前記繰返し送信を多数回にわたり行う請求項１３３記載の通信ユニット。
【請求項１４８】
前記第１の信号の前記繰返し送信を固定回数にわたり行う請求項１３３記載の通信ユニット。
【請求項１４９】
前記第１の信号の前記繰返し送信を固定回数のあと停止する請求項１４８記載の通信ユニット。
【請求項１５０】
前記送信機が、前記第１の信号の前記送信の停止のあと、前記第１の信号を更新するように構成されている請求項１４９記載の通信ユニット。
【請求項１５１】
前記送信機が、前記第１の信号の更新のあと、その更新した第１の信号を送信するように構成されている請求項１５０記載の通信ユニット。
【請求項１５２】
前記第２の信号の前記送信が前記第１の信号の前記送信の最後の送信と同期している請求項１３５記載の通信ユニット。
【請求項１５３】
前記送信機が前記受信確認信号の受信時にそれ以降の送信電力レベルを設定するように構成されている請求項１３３記載の通信ユニット。
【請求項１５４】
前記それ以降の送信電力レベルが前記第１の信号の前記繰返し送信の最後の送信の送信電力レベルに基づいている請求項１５３記載の通信ユニット。
【請求項１５５】
前記送信機が第２の信号を送信するように構成されており、前記それ以降の送信電力レベルがデータを搬送する前記第２の信号の送信電力レベルである請求項１５４記載の通信ユニット。
【請求項１５６】
前記それ以降の送信電力レベルが前記第１の信号の前記繰返し送信の最後の送信の送信電力レベルである請求項１５４記載の通信ユニット。
【請求項１５７】
前記それ以降の送信電力レベルが前記第１の信号の前記繰返し送信の最後の送信の送信電力レベルよりも上昇している請求項１５４記載の通信ユニット。
【請求項１５８】
前記送信機が、前記第１の信号に用いる符号を更新するように構成されている請求項１３３記載の通信ユニット。
【請求項１５９】
前記第１の信号が複素信号である請求項１３３記載の通信ユニット。
【請求項１６０】
前記第２の信号が複素信号である請求項１３５記載の通信ユニット。
【請求項１６１】
アクセスデータを前記第２の信号で搬送し、前記送信機が通信リンクを起動するように前記アクセスデータを送信する請求項１３５記載の通信ユニット。
【請求項１６２】
前記通信ユニットが加入者ユニットである請求項１３３記載の通信ユニット。
【請求項１６３】
前記第１の符号の最後の送信の送信電力レベルが検出に必要な電力レベルよりも高いレベルになるように前記送信機が構成されている請求項１３３記載の通信ユニット。
【請求項１６４】
前記繰返し送信が周期的に繰り返す送信である請求項１３３記載の通信ユニット。
【請求項１６５】
符号分割多元接続（ＣＤＭＡ）通信ユニットであって、
アクセスメッセージデータを搬送しない第１の信号を送信するように構成された送信機と、
前記第１の信号の周期的送信の最後の送信が受信されたことを示す受信確認信号を受信するように構成された受信機と
を含み、前記送信機が、前記受信確認信号が受信されなかった場合は上昇する電力レベルで前記第１の信号を再送信し、前記受信確認信号が受信された場合は前記第１の信号を再送信しないように構成されている通信ユニット。
【請求項１６６】
前記第１の信号がデータを何ら搬送しない請求項１６５記載の通信ユニット。
【請求項１６７】
前記送信機が、前記受信確認信号の受信に応答して第２の信号を送信するように構成されている請求項１６５記載の通信ユニット。
【請求項１６８】
前記第２の信号がデータを搬送する請求項１６７記載の通信ユニット。
【請求項１６９】
前記第２の信号がアクセスデータを搬送する請求項１６７記載の通信ユニット。
【請求項１７０】
前記第２の信号の送信電力レベルが前記第１の信号の前記繰返し送信の最後の送信の電力レベルに基づいて定まる請求項１６７記載の通信ユニット。
【請求項１７１】
前記第１の信号が前記第２の信号よりも短い請求項１６７記載の通信ユニット。
【請求項１７２】
前記送信機が、前記第１の信号を前記第２の信号の生成に用いる符号よりも短い符号を用いて生成するように構成されている請求項１６７記載の通信ユニット。
【請求項１７３】
前記送信機が、前記第１の信号の前記繰返し送信の最後の送信と関連した送信電力レベルを維持するように構成されている請求項１６７記載の通信ユニット。
【請求項１７４】
前記送信機が前記第２の信号の送信電力レベルを前記第１の信号の前記繰返し送信の最後の送信の送信電力レベルと同じにするように構成してある請求項１６７記載の通信ユニット。
【請求項１７５】
前記送信機が、前記第２の信号の送信電力レベルを前記第１の信号の前記繰返し送信の最後の送信の送信電力レベルよりも上昇させるように構成されている請求項１６７記載の通信ユニット。
【請求項１７６】
符号発生器が同じ基準符号を生ずるように構成され、前記第１および第２の信号が前記同じ基準符号から生成される請求項１６７記載の通信ユニット。
【請求項１７７】
前記第１の信号の前記送信が送信された前記第２の信号の捕捉において基地局を援助する請求項１６７記載の通信ユニット。
【請求項１７８】
前記第１の信号の前記送信が前記送信された前記第２の信号の捕捉に前記基地局が必要とする時間を短縮する請求項１６７記載の通信ユニット。